(57)【要約】【課題】操作性の良い原稿読取部を有する画像形成装置を提供する。【解決手段】原稿の画像を読み取る原稿読取部３と、原稿読取部３の下方に空間を隔てて配置された画像形成部１と、上記空間に設けられた排紙収納部４とを備える画像形成装置において、原稿読取部３を、その後部側を回転中心として回転し手前側が下方に傾斜可能に設けた。【選択図】        図２
2005010669.tif 000002
【特許請求の範囲】
【請求項１】
原稿の画像を読み取る原稿読取部と、原稿読取部の下方に空間を隔てて配置された画像形成部と、上記空間に設けられた排紙収納部とを備える画像形成装置において、原稿読取部を、その後部側を回転中心として回転し手前側が下方に傾斜可能に設けたことを特徴とする画像形成装置。
【請求項２】
請求項１の画像形成装置において、原稿読取部の傾斜角度を調整する傾斜角度調整手段を設けたことを特徴とする画像形成装置。
【請求項３】
請求項２の画像形成装置において、傾斜角度調整手段を原稿読取部の手前側に設けたことを特徴とする画像形成装置。
【発明の詳細な説明】
【０００１】
【発明の属する技術分野】
本発明は、原稿の画像を読み取る原稿読取部と、原稿読取部の下方に空間を隔てて配置された画像形成部と、上記空間に設けられた排紙収納部とを備える画像形成装置に関する。
【０００２】
【従来の技術】
原稿の画像を読み取る原稿読取部と、原稿読取部の下方に空間を隔てて配置された画像形成部と、上記空間に設けられた排紙収納部とを備える構造の画像形成装置が広く知られている。
【０００３】
また、類似の技術として、操作部を含むスキャナ部を機器本体により自在に支持することにより、機器の周囲３６０度のいずれの位置からでもオペレータが操作することができ、その結果、画像形成装置を部屋の隅や壁際以外の任意の位置に配置することが可能となり、スペースの有効利用を図ることができる画像形成装置を提供することを目的とする特許文献１の「画像形成装置」が知られている。
【０００４】
【特許文献１】
特開平８−３１７１３２号公報
【０００５】
【発明が解決しようとする課題】
上記の画像形成装置は、画像形成部の上に排紙収納部を構成する空間があり、その上に原稿読取部があるため、原稿読取部の高さが使用者により高すぎて使いにくいことがある。その場合、原稿のセット位置ずれにより正確なコピーを得ることができなくなる。
【０００６】
本発明は、操作性の良い原稿読取部を有する画像形成装置を提供することを目的とする。
【０００７】
【課題を解決するための手段】
上記目的を達成するために、請求項１記載の発明は、原稿の画像を読み取る原稿読取部と、原稿読取部の下方に空間を隔てて配置された画像形成部と、上記空間に設けられた排紙収納部とを備える画像形成装置において、原稿読取部を、その後部側を回転中心として回転し手前側が下方に傾斜可能に設けた画像形成装置を最も主要な特徴とする。
【０００８】
請求項２記載の発明は、請求項１の画像形成装置において、原稿読取部の傾斜角度を調整する傾斜角度調整手段を設けた画像形成装置を主要な特徴とする。
【０００９】
請求項３記載の発明は、請求項２の画像形成装置において、傾斜角度調整手段を原稿読取部の手前側に設けた画像形成装置を主要な特徴とする。
【００１０】
【発明の実施の形態】
以下、本発明の実施の形態を図面に従って説明する。
図１は本発明の第１の実施形態に係る画像形成装置の正面側からの斜視図、図２は同じく原稿読取部を傾斜させた状態の正面側からの斜視図である。この画像形成装置はコピー機能のみではなく、ファックス機能あるいはプリンタ機能を実現する複合機で、胴内排紙型等と称される。
【００１１】
略中央に画像形成部１を配し、その直下に２段の給紙部２を配し、画像形成部１の上方に正面と図中左側を解放した空間部を隔てて原稿の読取部をなす原稿読取部３を配し、画像形成部１と原稿読取部３との間の空間部を排紙収納部４とし、原稿読取部３の装置本体前側に複数の機能を操作するための操作部５を設けてある。原稿読取部３はその後部（奥）側にユニット回動軸６を設けている。
【００１２】
図示は省略するが、画像形成部１内には、像担持体としての感光体、感光体に静電潜像を形成する光書込装置、感光体を帯電する帯電装置、静電潜像を可視化する現像装置、用紙に可視化像を転写し搬送する転写装置、用紙にトナー像を溶融定着するための定着装置等を備えている。
【００１３】
上記構成の画像形成装置において、原稿読取部３を、図２に示すようにユニット回動軸６を中心に手前側に回転させて傾斜させることによって、使用者が使いやすい角度で原稿読取部３を使用することができる。
【００１４】
図３は原稿読取部の傾斜角度調整手段の一例を示す原稿読取部が水平状態の側面図、図４は同じく原稿読取部を傾斜させた状態の側面図である。図３、図４に示すように、原稿読取部３を後部側ユニット回動軸６を中心に回転させて手前側が下向きになるように傾斜させる。その際傾斜角度調整手段を設けることにより、使いやすい角度に調整できるようにする。例えば、画像形成部１側に傾斜角度調整用ストッパ部１０を設け、原稿読取部３に傾斜角度をロックするロック爪１１を設けることで自由な傾斜角度を設定することができる。
【００１５】
図５は、図３と対応する本発明の第２の実施形態に係る画像形成装置における原稿読取部を傾斜させた状態の正面側からの斜視図である。原稿読取部３を後部側ユニット回動軸６を中心に回転させる時にロック爪１１の操作を行うレバー１２を原稿読取部３または、図５に示すように原稿読取部３の装置本体手前側の操作部５に設けることで、原稿読取部３をユニット回動軸６を中心に回転させる際の操作性及びロック爪１０の操作性が良くなる。
【００１６】
【発明の効果】
請求項１記載の発明によれば、原稿の画像を読み取る原稿読取部と、原稿読取部の下方に空間を隔てて配置された画像形成部と、上記空間に設けられた排紙収納部とを備える画像形成装置において、上記原稿読取部を、その後部側を回転中心として回転し手前側が下方に傾斜可能に設けたことで、操作性の良い位置角度の原稿読取部を提供することができる。
【００１７】
請求項２記載の発明によれば、原稿読取部の傾斜角度を調整する傾斜角度調整手段を設けたことで、原稿読取部を任意の位置角度に容易に固定することができる。
【００１８】
請求項３記載の発明によれば、傾斜角度調整手段を原稿読取部の手前側に設けたことで、原稿読取部の傾斜操作に際し操作性を向上させることができる。
【図面の簡単な説明】
【図１】本発明の第１の実施形態に係る画像形成装置の正面側からの斜視図である。
【図２】同じく原稿読取部を傾斜させた状態の正面側からの斜視図である。
【図３】原稿読取部の傾斜角度調整手段の一例を示す原稿読取部が水平状態の側面図である。
【図４】同じく原稿読取部を傾斜させた状態の側面図である。
【図５】図３と対応する本発明の第２の実施形態に係る画像形成装置における原稿読取部を傾斜させた状態の正面側からの斜視図である。
【符号の説明】
１  画像形成部
２  給紙部
３  原稿読取部
４  排紙収納部
５  操作部
６  ユニット回転軸
【図１】
2005010669.tif 000003
【図２】
2005010669.tif 000004
【図３】
2005010669.tif 000005
【図４】
2005010669.tif 000006
【図５】
2005010669.tif 000007